(57)【特許請求の範囲】
【請求項１】
第１の開口（１０６）を有する筆記筒（１０１）と、
引込み状態と引出し状態の間で移動可能であって、引出し状態で筆記芯（１０２）が第１の開口（１０６）から突出し、引込み状態で筆記芯（１０２）が筆記筒（１０１）の内部にある筆記芯（１０２）と、
筆記芯（１０２）を支持するために延長部（３１８）を有するカートリッジ（３１２）と、
リップ（６００，１２０６，１５０８）を有する第１の端部（３０２，１２０２）とカートリッジの延長部（３１８）の周囲をシールする内部形状部（７０２，１３００）を備える第２の端部（３０４，１２０４）とを有し、筆記筒の内部にあって第１の端部（３０２，１２０２）が筆記筒の第１の開口（１０６）にあり、筆記芯（１０２）の引込み状態で第１の端部（３０２）と第２の端部（３０４）との間が外気からシールされ、引出し位置で筆記芯（１０２）が充填部材（３００）のリップと筆記筒の第１の開口とを経て突出する充填部材（３００，１２００，１５００）と、
挟持端部（１００４，１４０２，１５０６）と支持リム（１０００，１３０４）とを有するクリップ（３０１，１４００，１５０２）と、を具備し、
前記挟持端部がリップ（６００，１２０６，１５０８）に圧縮力を及ぼして、引込み状態のリップ（６００，１２０６，１５０８）をシールし、支持リム（１０００，１３０４）が充填部材（３００）の第２の端部（３０４）を支持するようになっていることを特徴とする、自己シールする引込み可能の筆記具。
【請求項２】
筆記筒（１０１）は第１の開口（１０６）の近傍に突条を有し、充填部材（３００）は筆記筒の突条と協働するくぼみ（１２０８）を有し、第１の開口（１０６）の近傍の筆記筒の内部で所定位置に充填部材（３００）を合致させるようになっている、請求項１に記載の自己シールする引込み可能の筆記具。
【請求項３】
内部形状部（７０２，１３００）は少なくとも１つの縁部（７０６，７０８，１３０２）を有し、内部形状部（７０２，１３００）と延長部（３１８）との間の摩擦を減じる、請求項１に記載の自己シールする引込み可能の筆記具。
【請求項４】
内部形状部（７０２，１３００）は傾斜した縁部を備える、請求項１に記載の自己シールする引込み可能の筆記具。
【請求項５】
筆記芯（１０２）とカートリッジ（３１２）の延長部（３１８）との間に空気の流れを許す空気孔（３０７）を備えており、空気孔（３０７）は引込み状態で充填部材の第１及び第２の端部の間にある、請求項１に記載の自己シールする引込み可能の筆記具。
【請求項６】
延長部（３１８）は開口端部（８００）を備え、引込み状態から引出し状態へ移動すると、開口端部（８００）が充填部材（３００）の内壁（８０２）と係合してリップを開き、筆記芯が自由に第１の開口から突出するようになっている、請求項１に記載の自己シールする引込み可能の筆記具。
【請求項７】
筆記筒（１０１）はプランジャ（１１２）のための第２の開口（１１０）を有し、プランジャ（１１２）の動作は筆記芯（１０２）を引込み状態と引出し状態の間で移動させる、請求項１に記載の自己シールする引込み可能の筆記具。
【請求項８】
筆記芯が引込み状態から筆記筒（１０１）からの引出し状態との間で移動可能であり、筆記芯（１０２）を外気からシールする引込み可能の筆記具であって、
当該筆記具は、
挟持端部（１００４，１４０２）と支持リム（１０００，１４０４）を有するクリップと、
蒸気室（３０６）を区画する第１の端部（３０２，１２０２）と第２の端部（３０４，１２０４）を有する充填部材（３００，１２００，１５００）と、を備え、
支持リム（１０００，１４０４）が充填部材（３００，１２００，１５００）の第２の端部を支持し、第１の端部（３０２，１２０２）はリップ（６００，１２０６，１５０８）を有し、第２の端部（３０４，１２０４）が内部形状部（７０２，１３００）を有し、筆記芯（１０２）が蒸気室（３０６）の内部に引込み状態にあるクリップの挟持端部の助けを得てリップ（６００，１２０６，１５０８）が外気からシールされ、引出し状態でリップと挟持端部が開いて筆記芯を充填部材と筆記筒から突出させるようになっている、自己シールする引込み可能の筆記具。
【請求項９】
前記充填部材が筆記芯（１０２）を支持する延長部（３１８）を有するカートリッジ（３１２）を備えており、筆記芯が引込み位置と引出し位置との間で移動する時、延長部が内部形状部（７０２，１３００）に対して長手方向に移動し、内部形状部が延長部の周囲をシールする、請求項８に記載の自己シールする引込み可能の筆記具。
【請求項１０】
内部形状部（７０２，１３００）は少なくとも１つの縁部（７０６，７０８，１３０２）を有し、内部形状部と延長部との間の摩擦を減じる、請求項９に記載の自己シールする引込み可能の筆記具。
【請求項１１】
内部形状部は削られた縁部（１３０２）を備え、内部形状部と延長部との間の摩擦を減じる、請求項９に記載の自己シールする引込み可能の筆記具。
【請求項１２】
筆記芯とカートリッジの延長部との間に空気の流れを許す空気孔（３０７）を備えており、空気孔（３０７）は引込み状態で蒸気室の内部に位置する、請求項９に記載の自己シールする引込み可能の筆記具。
【請求項１３】
延長部（３１８）は筆記芯を受け入れる開口端部（８００）を備え、引込み状態から引出し状態へ移動すると、開口端部が充填部材の内壁（８０２）と係合してリップを開き、筆記芯が自由に第１の開口から突出するようになっている、請求項９に記載の自己シールする引込み可能の筆記具。
【請求項１４】
延長部（３１８）は、第１（１９０２），第２（１９０４），第３（１９０６）の区画を有し、第２の区画（１９０４）は第１の区画（１９０２）と第３の区画（１９０６）の間に存在し、引込み状態で、第１の区画は蒸気室（３０６）の内部に存在し、第２の区画（１９０４）は内部形状部（７０２，１３００）とともにシールを形成し、第３の区画（１９０６）は蒸気室（３０６）の外部に存在し、第１の区画（１９０２）は充填部材のリップ（６００，１２０６，１５０８）を抵抗なく通過するように先細りになっている、請求項９に記載の自己シールする引込み可能の筆記具。
【請求項１５】
第２の区画（１９０４）は長手方向軸線に沿って平坦であり、引込み状態で充填部材の内部形状部（７０２，１３００）とともにシールを形成する、請求項１４に記載の自己シールする引込み可能の筆記具。
【請求項１６】
第３の区画が蒸気室（３０６）の内方へ移動する時、第３の区画の周囲が第３の区画と内部形状部との間の摩擦を最小限に減じるように、第３の区画（１９０６）が上方へ先細りになっている、請求項１４に記載の自己シールする引込み可能の筆記具。
【請求項１７】
第３の区画（１９０６）はくぼみ（１９０８）を備えており、筆記芯が引込み状態から引出し状態へ移動する時、蒸気室に生じた蒸気を解放するように、前記くぼみが第３の区画と内部形状部との間に隙間を形成する、請求項１４に記載の自己シールする引込み可能の筆記具。
【請求項１８】
充填部材の第２の端部（３０４，１２０４）に抵抗力を及ぼす抵抗部材（３２６）を備えている、請求項８に記載の自己シールする引込み可能の筆記具。
【請求項１９】
縁部（３２５）と開口（３２０）をもつ延長部（３１８）とを有するカートリッジ（３１２）を備えており、筆記芯（１０２）は開口の内部にあり、さらに抵抗部材（３２６）を備えており、延長部が抵抗部材の内部にあって、抵抗部材は充填部材の第２の端部（３０４，１２０４）とカートリッジの縁部（３２５）との間に配される、請求項８に記載の自己シールする引込み可能の筆記具。
【請求項２０】
充填部材の第２の端部は外部形状部（７００）を備えており、第２の端部（３０４，１２０４）は外部形状部から内部形状部（７０２，１３００）へ先細りになって蒸気室の容積を最小限にしている、請求項８に記載の自己シールする引込み可能の筆記具。
【請求項２１】
筆記筒は突条を有し、充填部材は筆記筒の突条と協働して筆記筒の内部の所定位置に充填部材を合致させるくぼみ（１２０８）を有する、請求項８に記載の自己シールする引込み可能の筆記具。
【請求項２２】
筆記筒はプランジャのための第２の開口（１１０）を備えており、プランジャの動作は筆記芯を引込み状態と引出し状態との間で移動させる、請求項８に記載の自己シールする引込み可能の筆記具。
【請求項２３】
クリップ（３０１，１４００，１５０２）は挟持腕（１００２，１３００）を備えており、充填部材は挟持腕を受け入れるようになっているくぼみ（１２０８）を有する、請求項８に記載の自己シールする引込み可能の筆記具。
【請求項２４】
引込み状態と引出し状態の間で筆記具の筆記芯を移動させるための装置を備えた筆記具であって、
前記筆記具の筆記芯を移動させるための装置は、
第１の端部（３０２，１２０２）と第２の端部（３０４，１２０４）とを有し、さらに前記第２の端部が内部形状部（７０２，１３００）を有する充填部材（３００，１２００，１５００）と、
筆記芯（１０２）を受け入れる開口（３２０）を備えた区画（１９００）を有するカートリッジ（３１２）とからなり、
前記区画は、
長手方向の軸線に沿って開口（３２０）の方へ先細りになっている第１の区画（１９０２）と、
筆記芯の引込み状態で充填部材（３００，１２００，１５００）の第２の端部（３０４，１２０４）の内部形状部とともにシールを形成するように、長手方向軸線に沿って平坦になっている第２の区画（１９０４）と、
筆記芯（１０２）が引込み位置から引出し位置へ移動する時、第２の端部の内部形状部との間の摩擦が最小限になるように開口（３２０）の方へ外径が大きくなるテーパとなっている第３の区画（１９０６）と、からなり、
前記第３の区画（１９０６）が第２の端部を通過する時、第２の端部と第３の区画との間に隙間を形成するくぼみ（１９０８）を当該第３の区画が備えている、
ことを特徴とする筆記具。
【請求項２５】
引込み状態と筆記筒（１０１）からの引出し状態との間で筆記芯（１０２）が移動可能であり、外気から筆記芯（１０２）をシールする引込み可能の筆記具であって、
所定幅のスリットを有する第１の端部（３０２，１２０２）と、蒸気室（３０６）を区画する第２の端部（３０４，１２０４）とを有する充填部材であって、前記第１の端部は筆記芯の引出し状態でスリットを開き、引込み位置でスリットを閉鎖するようになっている充填部材（３００，１２００，１５００）と、
前記充填部材の第１の端部を閉じるように働く圧縮力を及ぼす挟持端部（１００４，１４０２）を有するクリップ（３０１，１４００）と、を備え、
前記クリップ（３０１，１４００）は少なくとも前記スリットの幅と同じ幅の挟持端部（１００４，１４０２）を備えていることを特徴とする、自己シールする引込み可能の筆記具。
【発明の詳細な説明】
【０００１】
【発明の属する技術分野】
本発明は筆記具、特にフェルト筆記芯、マーカなどの揮発性インキを用いる、自己シールする引込み可能の筆記具に関するものである。
【０００２】
【従来の技術】
本発明は一般にマーカとして知られるインキを充填された筆記具に関するものである。ここで、マーカなる用語は一般に用いられるように、インキが筆記芯から蒸発する傾向を有するすべての筆記具を含む。マーカのあるものは、限定するものではないが、フェルト筆記芯、乾式字消器、永久的・非永久的なマーカ、及び子供のマーカを含む。
【０００３】
マーカは表面に筆記するための筆記芯を備えた少なくとも１つの端部を有する。筆記芯はニブとも称せられるものである。インキは典型的には染料と染料を溶かす溶剤とを処方される。これらのインキの溶剤は典型的な揮発性のものであり、外気に晒されると蒸発する傾向がある。マーカの筆記芯から十分な量のインキ溶剤が蒸発すると筆記芯は乾燥し、マーカとしての性能は著しく低下する。
【０００４】
筆記芯からインキが蒸発するという問題は、マーカの不使用時、筆記芯にキャップを被せることにより解決される。しかし、キャップを用いる１つの問題は、使用者がキャップを被せるのを忘れるかキャップを見失うなどして、しばしばキャップが使用後に筆記芯に被されず、筆記芯が乾燥してマーカの寿命を縮めることである。
【０００５】
マーカにキャップを用いることの問題を克服するために、一部のマーカにはマーカの筆記筒の内部に自己シールキャップを一体に備えたものがある。これらのマーカは自己シールキャップのデザインにそれぞれ問題があり、構成が複雑であり、あまり有効には働かない。１つの問題は、筆記具の不使用時筆記芯がかなり広い空気室に隔離されていることである。
【０００６】
空気室が広いと多量のインキがまだ空気室に蒸発し得る。他の問題は筆記芯が自己シールキャップを出入りする時、自己シールキャップと筆記芯との間に摩擦が生じ、自己シールキャップに使用時間に関係なく品質低下を生じさせる。さらに、自己シールキャップの組立ては複雑なので、大容量の製造過程には不適である。したがつて、自己シール筆記具には改良が要求される。
【０００７】
【発明が解決しようとする課題】
本発明の課題は上述の問題に鑑み、筆記芯の引込み状態で筆記芯からの筆記液のじょうはつ（蒸発）を防止する、自己シールする引込み可能の筆記具を提供することにある。
【０００８】
【課題を解決するための手段】
上記課題を解決するために、本発明の構成は、第１の開口（１０６）を有する筆記筒（１０１）と、引込み状態と引出し状態の間で移動可能であって、引出し状態で筆記芯（１０２）が第１の開口（１０６）から突出し、引込み状態で筆記芯（１０２）が筆記筒（１０１）の内部にある筆記芯（１０２）と、筆記芯（１０２）を支持するために延長部（３１８）を有するカートリッジ（３１２）と、リップ（６００，１２０６，１５０８）を有する第１の端部（３０２，１２０２）とカートリッジの延長部（３１８）の周囲をシールする内部形状部（７０２，１３００）を備える第２の端部（３０４，１２０４）とを有し、筆記筒の内部にあって第１の端部（３０２，１２０２）が筆記筒の第１の開口（１０６）に筆記芯（１０２）の引込み状態で第１の端部（３０２）と第２の端部（３０４）との間が外気からシールされ、引出し位置で筆記芯（１０２）が充填部材（３００）のリップと筆記筒の第１の開口とを経て突出する充填部材（３００，１２００，１５００）と、挟持端部（１００４，１４０２，１５０６）と支持リム（１０００，１３０４）とを有するクリップ（３０１，１４００，１５０２）と、を具備し、前記挟持端部がリップ（６００，１２０６，１５０８）に圧縮力を及ぼして、引込み状態のリップ（６００，１２０６，１５０８）をシールし、支持リム（１０００，１３０４）が充填部材（３００）の第２の端部（３０４）を支持するようになっていることを特徴とする。
【０００９】
【発明の実施の形態】
本発明は筆記芯が引込み状態にある時、筆記芯からの筆記液の蒸発を防止する引込み可能の筆記具を提供するものである。引込み可能の筆記具は前部開口を有する前部軸筒を備えており、筆記芯が前部開口を出入りできるようになっている。前部開口に隣接して前部軸筒の内部には筆記芯の引込み状態で筆記芯を外気からシールする充填部材が配設される。筆記具はまた後部開口を有する後部軸筒を備えている。後部開口の内部にはプランジャが軸方向前後に移動するプランジャが配設される。プランジャがクリックされると、例えば筆記芯が充填部材と前部開口へ突出または引退する。筆記液はフィーダに貯蔵される。ニブがフィーダと筆記芯の間に配設され、フィーダの筆記液を筆記芯へ供給する。ニブは筆記芯と一体にされるか、別体の部品とされる。フィーダの少なくとも一部は後部開口を経てプランジャの内部へ突出し、フィーダの占める寸法を短縮しつつ、より多くの筆記液を貯蔵する。
【００１０】
充填部材は第１の端部と第２の端部とを備えており、第１の端部が開いて筆記芯を第１の端部から突出させる。第１の端部を開くために、第１の端部はスリットをもつリップを備えている。さらに、引込み状態にあるリップをシールするのを助けるために、クリップはリップに圧縮力を加えるように構成される。第２の端部は充填部材の第２の端部をシールするような内部形状になっており、さらに、プランジャの動作に伴い頂部に軸方向への出入りを許す。引込み状態では、筆記芯は第１の端部と第２の端部との間にあって筆記芯を外気からシールし、これによりキャップを不必要にする。
【００１１】
充填部材は耐久性の材料から作られるので、リップは充填部材へ筆記芯を繰返し抜き差ししても摩滅しない。充填部材の材料も蒸気の非透過性を有し、外気から筆記芯をシールする。この点に関して、充填部材はポリプロピレンと交差リンクするブチルゴムを含む熱可塑性エボナイト（ＴＰＶ）から作られる。
【００１２】
本発明の他の装置、方法、構成、利点は、添付の図面と詳細な説明を吟味すれば、当業者には明らかになるであろう。本発明の装置、方法、構成及び利点は詳細な説明に含まれ、かつ本発明の範囲に属するものであり、特許請求の範囲により保護されるべきものである。
【００１３】
本発明は添付図面を参照することにより理解される。図面の構成部品は本発明の原理を説明するためのもので、寸法などは必ずしも重要でない。さらに、図面の同じの符号は、各図面を通じて対応する部材に用いられる。
【００１４】
【実施例】
図１は筆記芯が引出し状態の筆記具１００を示す。筆記具１００は第１の軸筒１０４と第２の軸筒１０８とからなる筆記筒１０１を備えている。引出し状態では、筆記具１００の筆記芯１０２が第１の軸筒１０４から引き出されている。第１の軸筒１０４は前端に第１の開口１０６を備えており、引出し状態と引込み状態との間で筆記芯１０２の移動を許す。第２の軸筒１０８は後端に第２の開口１１０を備えており、引出し状態と引込み状態との間でプランジャ１１２の突出を許す。引出し状態でプランジャ１１２は第２の軸筒１０８に対して押し下げられ、筆記芯１０２は第１の軸筒１０４から第１の開口１０６を経て突出される。第１の開口１０６に筆記芯１０２を案内するために、支持部材１１５は筆記芯１０２の側面ないし周囲を覆っている。第１の軸筒１０４は筆記芯１０２の方へ向かつて筆記筒１０１の外径を減じられ、第１の開口１０６を形成される。
【００１５】
図２は筆記芯１０２を第１の軸筒１０４の内部へ引込めた状態の筆記具１００を示す。引込み状態では、プランジャ１１２は第２の軸筒１０８からさらに突出し、筆記芯１０２を第１の開口１０６へ引き戻すことにより、第１の軸筒１０４の内部へ引込めている。こうして、プランジャ１１２が引込み状態と引出し状態との間で移動すると、これに応じて筆記芯１０２も引込み状態と引出し状態との間で移動する。筆記筒１０１は一体的に形成され、筆記具１００の内部機構が第２の開口１１０を経て筆記筒１０１の内部へ挿入されるか、当業者において公知の他の代替機構を経て筆記筒１０１の内部へ挿入される。
【００１６】
図３は筆記具１００の内部機構を分解して示す。筆記具１００は第１の開口１０６に隣接する第１の軸筒１０４の内部に充填部材３００を係合している。充填部材３００は充填部材３００の内部に蒸気室３０６を形成する第１の端部３０２と第２の端部３０４とを備えている。蒸気室３０６は筆記芯１０２を受け入れ、外気から筆記芯１０２を実質的にシールするように構成される。引出し状態で、充填部材３００の第１の端部３０２は、筆記芯１０２が第１の開口１０６を経て突出するのを許すように開いている。引込み状態では、第１の端部３０２は閉じて外気から筆記芯１０２を実質的にシールする。筆記芯１０２は長手方向（軸線）３１０にニブ３０８を結合される。筆記芯１０２はニブ３０８と一体でも、ニブ３０８から分離された部品であってもよい。
【００１７】
筆記具１００はクリップ３０１を備えており、充填部材３００の第１の端部３０２を閉鎖するのに役立つ。クリップ３０１は第１の端部３０２に弾性圧縮力を及ぼすように構成される。充填部材３００は外面にクリップ３０１を結合されるようになっている。このように、クリップ３０１は充填部材３００と第１の軸筒１０４との間に配設され、充填部材３００の第２の端部３０４の周囲を取り囲む。さらに、充填部材３００の第２の端部３０４はクリップ３０１の切抜きを備えており、充填部材３００とクリップ３０１との外周部は筆記筒１０１の内壁と接する面を形成する。
【００１８】
筆記具１００は第１のカートリッジ３１２を備えており、第２のカートリッジ３１４と結合される。第１，第２のカートリッジ３１２，３１４はフィーダ３１６を摺動するようになっている。フィーダ３１６はニブ３０８を経て筆記芯１０２へ供給する筆記液を貯蔵するようになっている。フィーダ３１６とニブ３０８と筆記芯１０２との間の毛細管関係は、筆記液をフィーダ３１６から筆記芯１０２へ移動させる。第１のカートリッジ３１２は開口３２０を有する延長部３１８を備えており、開口３２０はニブ３０８を受け入れかつシールするようになっている。この構成は、ニブ３０８の後部筆記芯３２２がフィーダ３１６と接触して筆記液を筆記芯１０２へ移動させる。第１のカートリッジ３１２は第２のカートリッジ３１４と組み合されるフランジ３２４を備えている。第１のカートリッジ３１２の延長部３１８は抵抗部材３２６の内部へ挿入され、第２の端部３０４と第１のカートリッジ３１２の縁部３２５との間に抵抗部材３２６を支持する。
【００１９】
筆記具１００はプランジャ１１２を第２の軸筒１０８に組み合せる噛合せ機構３２８を備えており、引込み状態または引出し状態でプランジャ１１２をロックするようになっている。噛合せ機構３２８は第２のカートリッジ３１４の後端を挿通するように中空になっている。プランジャ１１２に備えた円筒部（ボア）１１４は、第２のカートリッジ３１４の内部に保持された少なくとも１つのフィーダ３１６を受け入れるようになっている。フィーダ３１６がプランジャ１１２の内部へ組み込まれると、フィーダ３１６の長さだけプランジャ１１２が延び、より多くの筆記液を貯蔵する。
【００２０】
図４は引込み状態にある筆記具１００の側面断面図である。引込み状態で、筆記芯１０２は第１の端部３０２を有する蒸気室３０６の内部にあって外気からシールされ、第２の端部３０４は延長部３１８の周囲を実質的にシールする。開口３２０から突出する筆記芯１０２は、蒸気室３０６の内部にあって外気から実質的にシールされる。筆記芯３２２はフィーダ３１６との接触状態を形成し、フィーダ３１６に貯蔵された筆記液がニブ３０８を経て筆記芯１０２へ流れるようになっている。引込み状態では、筆記液が筆記芯１０２から蒸発しても、蒸気は蒸気室３０６の内部に封入されている。蒸気室３０６の容積は筆記液の蒸発を制限するように最小のものとされる。
【００２１】
図５は引出し状態にある筆記具１００の側面断面図である。筆記のためにプランジャ１１２が第２の軸筒１０８の方へ押動されると、第１，第２のカートリッジ３１２，３１４、ニブ３０８および筆記芯１０２が第１の開口１０６の方へ移動する。抵抗部材３２６は、噛合せ機構３２８がプランジャ１１２に係合して引出し状態にロックするまで押動力に抵抗する。筆記芯１０２を第１の端部３０２に対抗して押すと、第１の端部３０２のスリットが開いて筆記芯１０２を第１の開口１０６から突出させる。筆記芯１０２が引出し状態になると、筆記芯１０２は筆記面へ筆記できる状態になる。
【００２２】
引出し状態では、第１のカートリッジ３１２の延長部３１８は、筆記芯１０２に沿って第１の開口１０６から突出する。延長部３１８は充填部材３００の第１の端部３０２と第１の開口１０６とを介して、筆記芯１０２を案内するように働く。延長部３１８は、筆記具１００の使用時フィーダ３１６へ空気が流入するのを許す空気孔３０７を備えている。空気孔３０７は延長部３１８の壁に形成された通路、または延長部３１８の内壁とニブ３０８との間に形成された通路からなる。空気孔３０７を後から形成する場合、空気孔３０７の大きさと形状はニブ３０８の外壁の形状により異なる。
【００２３】
延長部３１８は延長部３１８が抵抗部材３２６の内部に収容されるように構成される。図４に示すように、引込み状態では、抵抗部材３２６は非圧縮状態にある。図５に示すように、引出し状態では抵抗部材３２６は圧縮状態にある。プランジャ１１２が引込み状態と引出し状態との間で駆動されると、抵抗部材３２６は充填部材３００の第２の端部３０４と第１のカートリッジ３１２の縁部３２５との間に拡開力を及ぼし、筆記芯１０２を充填部材３００の内方または外方へ移動させる。
【００２４】
上述したプランジャ１１２と抵抗部材３２６は、種々の方法に構成できる。例えば、ねじりカム機構、押ボタン錠止機構、当業者において公知の戻し機構などが使用される。
【００２５】
図６，７は充填部材３００の第１の端部３０２と第２の端部３０４をそれぞれ示す斜視図である。第１，第２の端部３０２，３０４は弾性材料から一体的に形成されか、分離された部品として形成される。第１の端部３０２はスリット６０２を有するリップ６００を備えており、筆記芯１０２を充填部材３００に抜き指しすると、スリット６０２が閉開する。延長部３１８は筆記芯１０２がリップ６００を通過するように案内する。図７に示すように、引込み状態では、リップ６００は蒸気室３０６を気密にシールする。
【００２６】
第２の端部３０４は環状の外部形状（外部形状部）７００をなしている。外部形状部７００の外径は筆記筒１０１の内壁または第１の軸筒１０４の内壁に接触する寸法とされる。つまり、外部形状部７００は、第２の端部３０４が筆記筒１０１の内周壁をシールするような外径とされるが、第２の端部３０４と筆記筒１０１との間に隙間があってもよい。第２の端部３０４の内部形状部７０２の内径は、延長部３１８が長手方向つまり前後方向に摺動するような寸法に構成される。内部形状部７０２は延長部３１８が長手方向に摺動する時、延長部３１８の周囲を気密にシールするような寸法のものでよい。この構成は、リップ６００が閉じた時に、充填部材３００の内部に形成された蒸気室３０６を外気からシールするように働く。さらに、空気孔３０７は筆記芯１０２の近傍に形成され、筆記具１００の引込み状態で、充填部材３００が空気孔３０７と筆記芯１０２を実質的に封止するように構成される。
【００２７】
充填部材３００は蒸気室３０６の容積を最小限にするように構成される。この構成は、第２の壁部７０４を外部形状部７００から内部形状部７０２の方へ先細りのテーパにすることにより達せられる。第２の壁部７０４にテーパをつけるには、延長部３１８を案内しかつシールし、蒸気室３０６の容積を最小限にするように内部形状部７０２を定める。
【００２８】
内部形状部７０２は延長部３１８が前後に摺動する時、延長部３１８の抵抗を最小限にするよう構成される。内部形状部７０２にはくぼみにより分離された１つまたは複数の縁部７０６，７０８を備え、第２の壁部７０４の肉厚を減じる。縁部７０６，７０８により第２の壁部７０４の肉厚を減じることは、内部形状部７０２と延長部３１８との間の摩擦を減じる。
【００２９】
図６は充填部材３００を前方から見た斜視図である。充填部材３００は第２の端部３０４からリップ６００の方へ外径が小さくなるテーパに構成される。この構成は、蒸気室３０６の容積を最小限にすることができる。充填部材３００のテーパは、筆記具の引込み状態で充填部材３００の内壁を損傷しない程度に、充填部材３００の内壁を筆記芯１０２と延長部３１８の形状に一致させる。充填部材３００は先細りにしてスリット６０２を有するリップ６００を形成し、筆記芯１０２が突出する時開口６０２が開くようにする。
【００３０】
図８は内部機構と第１の軸筒１０４の周囲を示す断面図である。延長部３１８が引出し状態の方へ移動すると、延長部３１８の開口端部８００は、まず充填部材３００の内壁８０２に係合し、筆記芯１０２がリップ６００を開いて貫通する。こうして、筆記芯１０２の無傷の形状が維持される。開口端部８００は膨みをもつ形状とされ、開口端部８００が内壁８０２に係合する時、リップ６００がさらに押し開かれるのを助ける。
【００３１】
図９は引込み状態にある他の筆記具の第１の軸筒１０４の周囲を示す断面図である。ここで、筆記芯１０２が延長部３１８の開口端部９００からさらに突出すると、充填部材３００の内壁８０２に係合し、リップ６００を開く。筆記芯１０２がさらに引出し状態の方へ突出すると、延長部３１８の開口端部９００はリップ６００に係合してリップを開いた状態に保持する。引込み状態では、リップ６００と第２の端部３０４の内部形状部７０２は、インキの蒸発を最小限にするような小さな空部になっており、外気から筆記芯１０２を実質的にシールする。すなわち、蒸気室３０６は最小限の容積で筆記芯１０２をシールするように構成される。これは、筆記芯１０２の端部に隣接する第２の端部３０４と、筆記芯１０２の前端に隣接する第１の端部３０２とを備えることにより達せられる。さらに、第２の端部３０４は内部形状部７０２の方へ先細りとされ、第１の端部と第２の端部との間隔が、できるだけ最小の容積になるような寸法になっている。内壁８０２は第２の端部３０４から第１の端部３０２へ先細りとしてリップ６００を形成し、蒸気室３０６の容積が最小限になるようにする。
【００３２】
充填部材３００は上述したように１つの部品から形成されるか、複数の部品から構成される。例えば、第２の端部３０４の外部形状部７００は筆記筒の内壁と結合され、リップ６００を備える第１の端部３０２は第１の開口１０６に隣接して筆記筒と結合され、第１，第２の端部の間の空部に蒸気室３０６を形成する。
【００３３】
図１０，１１はそれぞれ前方と後方からクリップ３０１を見た斜視図である。クリップ３０１は支持リム１０００と１対の挟持腕１００２とを備えている。支持リム１０００は充填部材３００の第２の端部３０４を受け入れるように構成される。挟持腕１００２は端部１００４の方へ先細りに形成され、充填部材３００を収容する。端部１００４は充填部材３００のリップ６００を覆うように配置され、リップ６００に圧縮力を及ぼし、リップ６００をシールするのを助ける。挟持腕１００２は、耐疲労性を有し形状ないし姿勢を記憶する材料（ばね鋼）から形成される。引込み状態で、挟持腕１００２がリップ６００を押圧する時、挟持腕１００２は十分な圧縮力をリップ６００に及ぼし、リップ６００を実質的にシールするのを助ける。延長部３１８が充填部材３００の内壁に係合してリップ６００を開くと、挟持腕１００２はリップ６００に及ぼす圧縮力を少なくとも部分的に解放し、延長部３１８が引出し状態へ移動する時、リップ６００と延長部３１８との間の摩擦を最小限にする。
【００３４】
図１２はリップ１２０６を備えた第１の端部１２０２と第２の端部１２０４を有する、他の充填部材１２００を示す斜視図である。充填部材１２００は両側にくぼみ１２０８を備えており、図１４に示すように、くぼみ１２０８にクリップ１４００を受け入れるようになっている。
【００３５】
図１３は充填部材１２００の第２の端部１２０４を示す斜視図である。第２の端部１２０４はニブ３０８を挿通した延長部３１８を受け入れる内部形状部１３００になっている。筆記芯１０２が引込み状態と引出し状態との間で移動すると、延長部３１８もこれに対応して内部形状部１３００の軸方向に相対移動する。内部形状部１３００は延長部３１８の軸方向移動中、延長部３１８の周囲を実質的にシールする。内部形状部１３００は第２の端部１２０４と延長部３１８との間の摩擦を最小限にするよう斜めに削られた縁部１３０２を備えている。上述の構成の代りに、内部形状部１３００には延長部３１８との摩擦を最小限にする丸みをつけた縁部を備えてもよい。さらに、第１の軸筒１０４の内壁にくぼみ１２０８と係合する複数の突条を設け、筆記具を組み立てる時、充填部材１２００が第１の軸筒と合致するようにしてもよい。
【００３６】
図１４は充填部材１２００のためのクリップ１４００の斜視図である。クリップ１４００は充填部材１２００を覆うように組み合され、挟持腕１４０６が充填部材１２００に形成されたくぼみ１２０８に係合される。クリップ１４００は両端側に、リップ１２０６を押し潰すための１対の端部１４０２と、第２の端部１２０４を支持するための端部１４０４とを備えており、筆記芯が引込み状態と引出し状態との間で移動する時、充填部材１２００はその姿勢を維持するように働く。すなわち、クリップ１４００は背骨として働き、延長部３１８が内部形状部１３００とリップ１２０６に沿って前後に移動する時、充填部材１２００の姿勢を維持する。端部１４０２の幅は少なくとも図１２のリップ１２０６のスリットの幅を覆い、充填部材１２００の蒸気室に生じる蒸気がリップ１２０６のスリットから逃げるのを封止する。クリップ１４００は挟持腕１４０６を備えており、引込み状態で、挟持腕１４０６はリップ１２０６に十分な圧縮力を及ぼすが、筆記芯１０２または延長部３１８の開口端部が充填部材１２００の内壁８０２に係合すると、少なくとも圧縮力の一部を開放するように構成される。こうして、延長部３１８と内部形状部７０２との間の摩擦が最小限にされ、プランジャ１１２を駆動するのに必要な力も小さくされる。
【００３７】
図１５はクリップ１５０２を一体的に形成された充填部材１５００を示す。クリップ１５０２は充填部材１５００の端部１５０４に結合された、Ｕ字形をなす２つの分割片から形成されてもよい。引込み状態で、クリップ１５０２は端部１５０６が充填部材１５００のリップ１５０８を封止する。
【００３８】
図１６はリップ１５０８に係合してリップ１５０８を開く筆記芯１０２を示す。筆記芯１０２が図１７に示す引出し状態の方へさらに突出すると、延長部３１８はリップ１５０８に係合し、リップ１５０８を開いた状態に維持する。
【００３９】
図１８は別の筆記具１８００を分解して示す斜視図である。この実施例では、筆記具１８００はプランジャ１８０２、フィーダ１８０４、筆記芯１８０６、延長部１８０９を有するカートリッジ１８０８、抵抗部材１８１０、充填部材１８１２、クリップ１８１４及び筆記筒１８１６を備えている。組み立てるには、プランジャ１８０２とフィーダ１８０４により、筆記芯１８０６をカートリッジ１８０８へ挿入し、カートリッジ１８０８の後端を封止する。次いで、カートリッジ１８０８の延長部１８０９によ・BR>閨A抵抗部材１８１０と充填部材１８１２とクリップ１８１４とを筆記筒１８１６の内部へ挿入する。
【００４０】
一方、挟持腕１００２は筆記筒の第１の軸筒と結合され、充填部材のリップと係合し、リップのシールを助ける。なお、上述した内部機構は直径の異なる筆記具、または化粧品、塗料などの揮発性液を塗るための非筆記具に適した種々の寸法に製造される。
【００４１】
図１９は第１のカートリッジ３１２を拡大して示す側面断面図である。延長部３１８の主要部１９００は第１の区画１９０２と、第２の区画１９０４と、第３の区画１９０６とからなる。第２の区画１９０４は第１の区画１９０２と第３の区画１９０６との間に配置される。引込み状態で、第１の区画１９０２は蒸気室３０６の内部にあり、第２の区画１９０４は第１の端部３０２とともにシールを形成し、第３の区画１９０６は第２の端部３０４の後方にある。第１の区画１９０２は長手方向軸線に沿って開口３２０の方へ先細りとなっており、第１の区画１９０２が充填部材のリップのスリットを通過しやすくなっている。第２の区画１９０４は長手方向軸線に沿って平坦であり、引込み状態で、第２の端部３０４の内部形状部によりシールを形成する。第２の区画１９０４は周囲をシールするために、第２の端部３０４の各内部形状部７０２，１３００の内径と同じか、やや大きくされる。第３の区画１９０６は長手方向軸線に沿って開口３２０の方へ外径が大きくなるテーパとされ、第３の区画１９０６が第２の端部３０４の内部へ押し込まれると、第３の区画１９０６の外径が減じられ、第３の区画１９０６と第２の端部３０４との間の摩擦を最小限にする。換言すれば、これは第２の端部３０４の内部形状部の摩耗を最小限にする。
【００４２】
また、図１９は引込み状態で、第３の区画１９０６に充填部材３００の第１の端部３０２の後方に位置してくぼみ１９０８を形成され、蒸気室３０６で生じる蒸気の解放を制御するようになっていることを示す。引込み状態で、筆記液が筆記芯１０２を経て蒸発すると、蒸気が蒸気室３０６の内部に生じる。筆記芯１０２が引込み状態から引出し状態へ移動すると、延長部３１８に形成されたくぼみ１９０８は第２の端部３０４の内部へ摺動し、第３の区画１９０６と内部形状部との間に隙間を形成する。この隙間は、筆記芯１０２が第１の端部３０２を通過する前に第２の端部３０４に形成される。こうして、蒸気室３０６の内部の蒸気は、充填部材３００の前端部のリップのスリットまたは第１の端部３０２を通るよりはむしろ、後側の隙間ないし第２の端部３０４を経て放出される。これは蒸気が筆記具１００の第１の開口１０６を経て噴出し、筆記面にインキのしみをつくるという問題を解消する。
【００４３】
図２０は第１の区画１９０２に形成された開口３２０を示す正面図である。開口３２０の内周面にはニブ３０８と係合する少なくとも１つの歯２０００を備えており、筆記芯１０２を所定の状態に保持するようになっている。
【００４４】
図２１は筆記芯１０２とニブ３０８を拡大して示す側面図である。筆記芯１０２は、筆記芯１０２がリップ６００のスリット６０２を簡単に突き抜けるようなピツチ角の縁部２１００を備えている。開口３２０の内部の歯２０００は筆記芯１０２を保持し、筆記芯１０２の縁部２１００をリップ６００のスリット６０２に合致させる。充填部材３００と縁部２１００とが所定の位置に一致するよう保持されるので、筆記芯１０２はスリット６０２を損傷することなく、スリット６０２を繰返し抜き指しできる。これは、筆記芯１０２の縁部２１００が第１，第２の軸筒の所定位置に突出するのを保証する。すなわち、筆記芯１０２の縁部は第１，第２の軸筒に対し回転するのを阻止される。第２の軸筒すなわち対称な外部形状にクリップを有する筆記具の実施例では、常に所定位置へ突出する筆記芯１０２は、使用者の意図するように筆記具を保持することができる。
【００４５】
充填部材３００は耐久性と可撓性の材料から製作できるので、スリット６０２を何回も抜き指ししても筆記芯１０２は摩滅しない。材料は蒸気と空気に対する透過性が低く、筆記芯１０２を外気からシールすることができる。
【００４６】
この点から、充填部材はシリコン、エチルゴム、蒸気の透過性が低い熱可塑性ゴムを含む熱可塑性エラストマなどの種々の材料から形成することができる。シリコンを用いて充填部材を成形するのに射出成形、ブロー成形、押出成形、当業者において公知の他の種々の製造方法を適用できる。蒸発率の高いアルコール質の筆記液には、エチルゴムによる充填部材の圧縮成形または当業者において公知の他の方法が用いられる。代りに、充填部材は蒸気の透過性が低い熱可塑性ゴムを含む熱可塑性エラストマから成形してもよい。このような材料は、登録商標Ｔｒｅｆｓｉｎという名のもとにアメリカ合衆国  ４４３１１  オハイオ州  アクロン  サウス  メインストリート  ３８８番のアドバンス  エラストマ  システムス  エルピーで製造されており、射出成形、ブロー成形、押出成形など種々の製造方法で充填部材３００を成形することができる。
【００４７】
本発明はいくつかの実施例に基づいて説明したが、寸法や外形の異なる筆記具に、シール機構を適用ないし組み込むことを含む発明の変形や変更は、すべて特許請求の範囲により限定された発明及び発明等透過物の範囲に属するものである。
【００４８】
【発明の効果】
本発明は上述のように、充填部材は第１の端部と第２の端部とを備えており、第１の端部が開いて筆記芯を第１の端部から突出させる。第１の端部を開くために、第１の端部はスリットをもつリップを備えている。さらに、引込み状態にあるリップをシールするのを助けるために、クリップはリップに圧縮力を加えるように構成される。第２の端部は充填部材の第２の端部をシールするような内部形状（内部形状部）になっており、さらに、プランジャの動作に伴い頂部に軸方向への出入りを許す。引込み状態では、筆記芯は第１の端部と第２の端部との間にあって筆記芯を外気からシールし、これによりキャップを不必要にする。
【図面の簡単な説明】
【図１】本発明に係る自己シールする引込み可能の筆記具における筆記芯の引出し状態を示す側面図である。
【図２】同筆記具における筆記芯の引込み状態を示す側面図である。
【図３】同筆記具を分解して示す側面図である。
【図４】筆記芯が引込み状態にある、同筆記具の側面断面図である。
【図５】筆記芯が引出し状態にある、同筆記具の側面断面図である。
【図６】前方から見た充填部材の斜視図である。
【図７】後方から見た充填部材の斜視図である。
【図８】同筆記具の前端部の側面断面図である。
【図９】他の筆記具の前端部の側面断面図である。
【図１０】前方から見たクリップの斜視図である。
【図１１】後方から見たクリップの斜視図である。
【図１２】前方から見た他の充填部材の斜視図である。
【図１３】後方から見た図１２の充填部材の斜視図である。
【図１４】前方から見た、図１２の充填部材のためのクリップの斜視図である。
【図１５】引込み状態にある他の充填部材とクリップの組合せを示す斜視図である。
【図１６】図１５の引込み状態から引出し状態に移る時の充填部材とクリップの組合せを示す斜視図である。
【図１７】引出し状態にある図１５の充填部材とクリップの組合せを示す斜視図である。
【図１８】他の筆記具を分解して示す斜視図である。
【図１９】カートリッジを拡大して示す側面断面図である。
【図２０】図１９のカートリッジの開口を拡大して示す正面断面図である。
【図２１】筆記芯とニブの側面図である。
【符号の説明】
１００：筆記具  １０１：筆記筒  １０２：筆記芯  １０４：第１の軸筒  １０６：第１の開口  １０８：第２の軸筒  １１０：第２の開口  １１２：プランジャ  １１４：円筒部  １１５：支持部材  ３００：充填部材  ３０１：クリップ  ３０２：第１の端部  ３０４：第２の端部  ３０６：蒸気室  ３０７：空気孔  ３０８：ニブ  ３１０：軸線  ３１２：第１のカートリッジ  ３１４：第２のカートリッジ  ３１６：フィーダ  ３１８：延長部  ３２０：開口  ３２２：筆記芯  ３２４：フランジ  ３２５：縁部  ３２６：抵抗部材  ３２８：噛合せ機構  ６００：リップ  ６０２：スリット  ７００：外部形状部  ７０２：内部形状部  ７０４：第２の壁部  ７０６：縁部  ７０８：縁部  ８００：開口端部  ８０２：内壁  ９００：開口端部  １０００：支持リム  １００２：挟持腕  １００４：端部  １２００：充填部材  １２０２：第１の端部  １２０４：第２の端部  １２０６：リップ  １２０８：くぼみ  １３００：内部形状部  １３０２：縁部  １３０４：支持リム  １４００：クリップ  １４０２：端部  １４０４：支持端部  後方  １４０６：挟持腕  １５００：充填部材  １５０２：クリップ  １５０４：端部  １５０６：端部  １５０８：リップ  １８００：筆記具  １８０２：プランジャ  １８０４：フィーダ  １８０６：チツプ  筆記芯  １８０８：カートリッジ  １８０９：延長部  １８１０：抵抗部材  １８１２：充填部材  １８１４：クリップ  １８１６：ハウジング  筆記筒  １９００：主要部  １９０２：第１の区画  １９０４：第２の区画  １９０６：第３の区画  １９０８：くぼみ  ２０００：歯  ２１００：縁部
【図１】
0004676134.tif 000002
【図２】
0004676134.tif 000003
【図３】
0004676134.tif 000004
【図４】
0004676134.tif 000005
【図５】
0004676134.tif 000006
【図６】
0004676134.tif 000007
【図７】
0004676134.tif 000008
【図８】
0004676134.tif 000009
【図９】
0004676134.tif 000010
【図１０】
0004676134.tif 000011
【図１１】
0004676134.tif 000012
【図１２】
0004676134.tif 000013
【図１３】
0004676134.tif 000014
【図１４】
0004676134.tif 000015
【図１５】
0004676134.tif 000016
【図１６】
0004676134.tif 000017
【図１７】
0004676134.tif 000018
【図１８】
0004676134.tif 000019
【図１９】
0004676134.tif 000020
【図２０】
0004676134.tif 000021
【図２１】
0004676134.tif 000022